(57)【要約】      （修正有）【課題】フック等で掛けるゴム管針金による、パソコン画面の左右等に筆記用具と付箋等をペアで固定するフックを提供する。【解決手段】フックを横に大きくしアンバランスな偏った荷重に耐えるようにし、滑り止め、固定性の向上及びパソコン本体の傷防止及び取り出及び収納動作のクッション・緩衝剤としてゴム管３をすべて覆い、固定する筆記用具は、業務の多様性や落下・紛失を考慮して２種類の筆記用具を、太さの柔軟性出すためにコイルとし、且つ付箋は２種類を差し挟むことを可能にした。フック部１は手形とし、フック部１のパソコンへの吸着性のみならず列車内のパソコン移動運用の他客の視線をも考慮した。【選択図】図１
2014216002.tif 000002
【特許請求の範囲】
【請求項１】
パソコン等の画面等の左右に斜め掛けのフック等で掛ける、又はクリップボード等でフック等で掛ける筆記用具と他の頻繁に使用する付箋や他のその程度の寸法の物とのペア、対で又はどちらか単独で固定することが可能な固定器具。
【請求項２】
さらに、フック等で掛ける針金による請求項１の固定器具
【請求項３】
さらに、フック等で掛けるゴム管を履かせた請求項１の固定器具。
【請求項４】
さらに、筆記用具は、１本又は複数の筆記用具を固定することが可能な請求項１の固定器具。
【請求項５】
さらにフックは、手形の形状である請求項の固定器具
【請求項６】
さらに筆記用具・付箋等固定部分は、手形又はコイル状の形状で固定する請求項１の固定器具
【請求項７】
さらに、移動運用でのノート型パソコン等の画面等の左右に斜め掛けのフック等で掛けるように、左右に斜め掛けのフックで掛けることが可能なデスクトップ型パソコン等他物品にも掛けることが可能な請求項１の固定器具
さらに、図では、図が意味するのを明らかにする為、敢えて大きめに表現したが、大小の寸法をも含む請求項１の表示。
【発明の詳細な説明】
【技術分野】
【０００１】  本発明は、フック等で掛けるゴム管針金による、パソコン画面の左右等に筆記用具と付箋等をペアで固定するフックに関するものである。
【技術背景】
【０００２】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。
また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。
この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がつき、さらにゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具、フック等で掛けるゴム管針金による、車両等の車内の筆記用具とメモ用紙又は駐車場券、伝票、領収書、写真、写真入り額縁等をペアで固定する、多目的フックを出願した。
【０００３】  耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。
【０００４】  これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックができるのではないかと気が付いた。これは、電車の車内等でノート型パソコンを操作する際、筆記用具や付箋を固定したり、脇に置いたりするスペースが余裕がない。そこで、パソコンの画面の左右片方に筆記用具と付箋等をフックで固定し、限られたスペースでのパソコン作業効率を向上させる。左右の横に軽いもののみを吊るす制約が重量的またパソコン画面を妨げないスペース的な制約は、クリップボード、冷蔵庫・電子レンジのドアの縁、そして自家用車等のダッシュボードの空調機排出口より、大きく余裕はない。また不利な点として、フックとして掛けることが可能そうなパソコン画面の上辺又は左右の縁の真下又は真横に画面があり、その視界を妨げてはならない。とすると、左右に除けて吊り下げざるを得ないが、真下に吊るすより左右に避けて吊るすことは掛ける重量を軽くしなければならない。
【０００５】  付箋と筆記用具との固定具として、先人の優れた考案が既になされている。
［特許公開２００４−２４９０２４］付箋紙付懐中ペン立
［実用新案出願平３−１０２２３８］筆記具付き付箋紙ホルダー
しかし、パソコン等の左右にフックにて吊り下げ、筆記用具と付箋という頻繁に共に使用するペアを両方固定する器具を見出せなかった。
また、筆記用具と付箋とを両方収納する倒立型、スタンド型の固定器で、プラスチック製品が、既に市販されている。パソコン等の左右にフックで吊り下げ可能な製本を見出すことが出来なかった。
【０００６】  この左右に除けて吊り下げざるを得ないが、真下に吊るすより左右に避けて吊るすことは掛ける重量を軽くしなければならない不利な点を補てんする工夫として、フックを横に大きくしアンバランスな偏った荷重に耐えるようにし、滑り止め、固定性の向上及びパソコン本体の傷防止、及び取り出及び収納動作のクッション・緩衝剤としてゴム管をすべて覆い、固定する筆記用具は、業務の多様性と落下・紛失の可能性を考慮して２種類の筆記用具を、太さの柔軟性出すためにコイルとし、且つ付箋は２種類を差し挟むことを可能にした。パソコン移動時の耐衝撃性・携帯利便性・静音性及びパソコンを振動で傷付けないようにする工夫、振動でパソコン画面からフックが滑り落ちない工夫として、ゴム管が有効である。鞄に入るサイズとし、弾力性があり収納性を高めた。フック部は、手形にしフック部のパソコンへの吸着性のみならず、見た目のユニーク性をも出す工夫をした。また、筆記用具や付箋固定部も、コイル乃至手形にし同様の効果を狙った。先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願したが、逆に筆記用具に付箋等よく使う物品の対、ペアとして、付箋等を留め置く固定部を筆記用具の中央等に設ければさらに利便性を高め、またフックを手形、筆記用具や付箋等固定部もコイルだけでなく手形の形状にすると、クリップボードとフックの吸着力、また筆記用具や付箋等とフックの固定部との吸着力を高め、見た目の楽しさも加わり使い出を高める機能を付加する。
【発明が解決しようとする課題】
【０００７】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。
また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。
この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がつき、さらにゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具、フック等で掛けるゴム管針金による、車両等の車内の筆記用具とメモ用紙又は駐車場券、伝票、領収書、写真、写真入り額縁等をペアで固定する、多目的フックを出願した。
【０００８】  耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。
【０００９】  これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックができるのではないかと気が付いた。左右の横に軽いもののみを吊るす制約が重量的またパソコン画面を妨げないスペース的な制約は、クリップボード、冷蔵庫・電子レンジのドアの縁、そして自家用車等のダッシュボードの空調機排出口より、大きく余裕はない。また不利な点として、フックとして掛けることが可能そうなパソコン画面の上辺又は左右の縁の真下又は真横に画面があり、その視界を妨げてはならない。とすると、左右に除けて吊り下げざるを得ないが、真下に吊るすより左右に避けて吊るすことは掛ける重量を軽くしなければならない。
【課題を解決するための手段】
【００１０】  この左右に除けて吊り下げざるを得ないが、真下に吊るすより左右に避けて吊るすことは掛ける重量を軽くしなければならない不利な点を補てんする工夫として、フックを横に大きくしアンバランスな偏った荷重に耐えるようにし、滑り止め、固定性の向上及びパソコン本体の傷防止、及び取り出及び収納動作のクッション・緩衝剤としてゴム管をすべて覆い、固定する筆記用具は、業務の多様性と落下・紛失の可能性を考慮して２種類の筆記用具を、太さの柔軟性出すためにコイルとし、且つ付箋は２種類を差し挟むことを可能にした。パソコン移動時の耐衝撃性・携帯利便性・静音性及びパソコンを振動で傷付けないようにする工夫、振動でパソコン画面からフックが滑り落ちない工夫として、ゴム管が有効である。鞄に入るサイズとし、弾力性があり収納性を高めた。フック部は、手形にしフック部のパソコンへの吸着性のみならず、見た目のユニーク性をも出す工夫をした。また、筆記用具や付箋固定部も、コイル乃至手形にし同様の効果を狙った。
【発明の効果】
【００１１】  フックを横に大きくしアンバランスな偏った荷重に耐えるようにし、滑り止め、固定性の向上及びパソコン本体の傷防止、及び取り出及び収納動作のクッション・緩衝剤としてゴム管をすべて覆い、固定する筆記用具は、業務の多様性と落下・紛失の可能性を考慮して２種類の筆記用具を、太さの柔軟性出すためにコイルとし、且つ付箋は２種類を差し挟むことを可能になった。パソコン移動時の耐衝撃性・携帯利便性・静音性及びパソコンを振動で傷付けないようにする工夫、振動でパソコン画面からフックが滑らない。鞄に入るサイズとし、弾力性があり標準的なパソコン鞄のサイドスペースに差し入れることが可能である。ノート型パソコンの移動運用だけでなく、スペースの少ないデスクトップ型パソコンの画面にも当然使用可能である。弾力性があり、フック部はその引っかける対象で容易に調整があ可能であり、ゴム管があり、耐衝撃性・携帯利便性・静音性及びパソコンを振動で傷付けないようにする工夫、振動でパソコン画面からフックが滑らないのは変わらず、且つ容易に折り曲げ調整することが可能だからである。フック部は、手形にしフック部のパソコンへの吸着性のみならず、見た目のユニーク性をも出す工夫があり、滑り落ちず電車などの振動にも耐え、電車内等のパソコン運用の他客の視線をも考慮した。また、筆記用具や付箋固定部も、コイル乃至手形にしパソコンへの吸着性のみならず、見た目のユニーク性をも出した。先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願したが、これも逆に筆記用具に付箋等よく使う物品の対、ペアとして、付箋等を留め置く固定部を筆記用具の中央等に設けさらに利便性を高め、またフックを手形、筆記用具や付箋等固定部もコイルだけでなく手形の形状にし、クリップボードとフックの吸着力、また筆記用具や付箋等とフックの固定部との吸着力を高め、見た目の楽しさも加わり使い出を高める機能を付加できた。
【図面の簡単な説明】
【００１２】
【図１】本発明の正面図である。
【図２】本発明の正面図である。
【図３】本発明の正面図である。
【図４】本発明の正面図である。
【図５】本発明の断面図である。
【図６】本発明の正面図である。
【発明を実施するための形態】
【００１３】本発明を実施するための形態を説明する。
【符号の簡単な説明】
１  フック部
２  筆記用具固定部針金
３  ゴム管
４  付箋固定部筆記用具
５  ノート型パソコン
６  ペン
７  付箋
８  針金
９  クリップボード
【図１】
2014216002.tif 000003
【図２】
2014216002.tif 000004
【図３】
2014216002.tif 000005
【図４】
2014216002.tif 000006
【図５】
2014216002.tif 000007
【図６】
2014216002.tif 000008